(57)【特許請求の範囲】
【請求項１】
帳票をフィードローラとピンチローラとで圧接しながら給送する帳票作成装置において、
アーム軸にそれぞれ独立して回転可能に装着された第１アームおよび第２アームと、
前記第１アームおよび前記第２アームとで揺動可能に支持される前記ピンチローラと、
前記第1アームと前記第２アームとを揺動可能に連動させるバーと、
前記バーの中央部に係合する溝を備え、前記アーム軸の回転力を前記溝と前記バーと前記第1アームおよび前記第２アームを介して前記ピンチローラに伝達する第３のアームと、
を有することを特徴とする帳票作成装置。
【請求項２】
前記ピンチローラを可動する前記アームは、
第１のソレノイドに設けられた伸縮可能な軸に連動した第１および第２のレバーの可動に伴って回動されることを特徴とする請求項１に記載の帳票作成装置。
【請求項３】
前記第１アームおよび前記第２アームは、前記バーおよび前記アーム軸に、それぞれＥリングを介して装着されることを特徴とする請求項１に記載の帳票作成装置。
【発明の詳細な説明】
【０００１】
【発明の属する技術分野】
本発明は、書留受領証等の帳票を作成する帳票作成装置に関するものである。
【０００２】
【従来の技術】
図９は、従来のこの種の帳票作成装置の全体構成を示す平面図である。図１０は、この帳票作成装置をＢ−Ｂ線に沿って切断した側面断面図である。図１１は、図１０において従来の帳票作成装置に係るピンチローラ部をＡ方向から矢視した平面図であり、図１２は、図１１と同じ部分の拡大斜視図であるが、帳票がピンチローラとフィードローラ間に挿入されている様子を示している。
【０００３】
図９乃至図１２を用いて従来のこの種の帳票作成装置の構成を説明する。図９において、従来の帳票作成装置は、帳票を載せるトレイ10と、帳票を前記トレイ上で所定位置に停めるストッパ軸21に固着された帳票ストッパ20と、所定位置に配置された帳票をフィードローラ40とで圧接しながら印字部へ給送するピンチローラ軸２に固着されたピンチローラ３と、所定位置に配置された帳票を前記ピンチローラ３とで圧接しながら印字部へ給送するフィードローラ軸41に固着されたフィードローラ40と、ピンチローラ３とフィードローラ40により給送された帳票に印字を施す印字装置50とを備えている。
【０００４】
そしてピンチローラ３は硬質ゴム製であり、第１のアーム４および第２のアーム５により軸支されたピンチローラ軸２に固着されており、また第１のアーム４および第２のアーム５は、アーム軸６にネジ７により固着されいる。
【０００５】
アーム軸６およびストッパ軸21は、第１のソレノイド61に設けられた伸縮可能な軸に連動した第１のレバー63および第２のレバー64の可動に伴って回動可能にされている。また、帳票ストッパ20は、第２のレバー64の可動に伴って回動可能にされている。
【０００６】
フィードローラ40は、フィードローラ軸41に固着されており、このフィードローラ軸41はモータ71により駆動される。また、フィードローラ40は金属製であり、帳票に圧接する部分には溝42が切られており、その溝42により回転駆動時の滑りを小さくしている。
【０００７】
印字装置50はドットプリンタから成り、また印字装置50のインクリボン51に対応する印字部にはプラテン53が配置されている。印字装置50はプリンタ取付けベース52および側板80に取付け・固定される。
【０００８】
【発明が解決しようとする課題】
従来の帳票作成装置は、剛体のピンチローラにより帳票を圧接するので、各支点に均衡した押圧を懸けることができないため、書留受領証のような裏カーボンが施された２枚組の薄手の帳票だと破れることがあり、印字装置に正確に給送して且つ排出することができないという問題があった。
【０００９】
また従来の帳票作成装置は、剛体のピンチローラにより帳票を圧接するので、各支点に均衡した押圧を懸けることができないため、ピンチローラに片減りが起こり、帳票への密着度が悪いという問題があった。
【００１０】
本発明は、このような不具合を解消するものであり、揺動可能なピンチローラにより帳票を圧接することができる帳票作成装置を提供することを目的とする。
【００１１】
【課題を解決するための手段】
本発明は、帳票をフィードローラとピンチローラとで圧接しながら給送する帳票作成装置において、アーム軸にそれぞれ独立して回転可能に装着された第１アームおよび第２アームと、前記第１アームおよび前記第２アームとで揺動可能に支持される前記ピンチローラと、前記第1アームと前記第２アームとを揺動可能に連動させるバーと、前記バーの中央部に係合する溝を備え、前記アーム軸の回転力を前記溝と前記バーと前記第1アームおよび前記第２アームを介して前記ピンチローラに伝達する第３のアームとを有することを特徴とする。
【００１２】
この構成により、ピンチローラに均衡した押圧を懸けることができるため、例えば書留受領証のような裏カーボンが施された２枚組の薄手の帳票であっても、破れることなく印字装置に正確に給送して且つ排出することができる。またピンチローラに片減りが起こることも無くなるため、帳票への密着度を向上させることができる。
【００１３】
【発明の実施の形態】
以下、本発明の実施の形態について、図面を用いて説明する。図１は、本発明の実施形態に係る帳票作成装置の全体構成を示す平面図である。図２は、この帳票作成装置をＢ−Ｂ線に沿って切断した側面断面図である。図３は、図２において本発明の帳票作成装置に係るピンチローラ部をＡ方向から矢視した平面図であり、図４は、図３と同じ部分の拡大斜視図であるが、帳票がピンチローラとフィードローラ間に挿入されている様子を示している。
【００１４】
図１乃至図４を用いて本発明の実施形態に係る帳票作成装置の構成を説明する。図１において、書留受領証等の帳票を作成する帳票作成装置は、帳票を載せるトレイ10と、帳票を前記トレイ上で所定位置に停めるストッパ軸21に固着された帳票ストッパ20と、所定位置に配置された帳票をフィードローラ40とで圧接しながら印字部へ給送するピンチローラ軸31に固着されたピンチローラ30と、所定位置に配置された帳票を前記ピンチローラ30とで圧接しながら印字部へ給送するフィードローラ軸41に固着されたフィードローラ40と、前記ピンチローラと前記フィードローラにより給送された帳票に印字を施す印字装置50とを備えている。
【００１５】
ピンチローラ30は硬質ゴム製であり、第１のアーム33および第２のアーム34により軸支されたピンチローラ軸31に固着されており、前記第１および第２のアームは、アーム軸32にＥリング37を介して装着され、また前記第１および第２のアームにＥリング37を介して装着されたバー36を備え、アーム軸32にネジ38により固着された先端部にＵ字形の押圧部39を持つ第３のアーム35により前記バーの中央部を押圧し、第１および第２のアームに近い部分では前記中央部を支点にして揺動可能にしている。
【００１６】
アーム軸32およびストッパ軸21は、第１のソレノイド61に設けられた伸縮可能な軸に連動した第１のレバー63および第２のレバー64の可動に伴って回動可能にされている。また、帳票ストッパ20は、第２のレバー64の可動に伴って回動可能にされている。
【００１７】
フィードローラ40はフィードローラ軸41に固着されており、フィードローラ軸41はモータ71により駆動される。また、フィードローラ40は金属製であり、帳票１に圧接する部分には溝42が切られており、その溝42により回転駆動時の滑りを小さくしている。
【００１８】
印字装置50はドットプリンタから成り、また印字装置のインクリボン51に対応する印字部にはプラテン53が配置されている。印字装置50はプリンタ取付けベース52および側板80に取付け・固定される。
【００１９】
図５は、揺動可能なピンチローラが開の状態の側板におけるソレノイドの動作状態を示す側面図であり、また図６は揺動可能なピンチローラが開の状態における上記側板を外して見た側面図である。
【００２０】
図５および図６において、揺動可能なピンチローラが開の状態とは、帳票をトレイに載せて帳票ストッパまで挿入することができる状態のことである。
【００２１】
図５において揺動可能なピンチローラ20を開の状態にするためには、第１のソレノイド61をＯＮにし、且つ第２のソレノイド65をＯＦＦする。第１のソレノイド61をＯＮすると、第１のソレノイド軸62が伸びた状態から縮むので、それに伴いこの第１のソレノイド軸62に連動する第１のレバー63および第２のレバー64が反時計方向に回転し、また第２のソレノイド65をＯＦＦしているので、第２のソレノイド軸66が伸びた状態になり、これによりラッチ67が時計方向に回転する。
【００２２】
アーム軸32は第１のレバー63に、またストッパ軸21は第２のレバー64に結合され、さらに第２のレバー64は第１のコイルスプリング68に結合されていることから第１のレバー63に連動するようになっているので、第１のレバー63および第２のレバー64の反時計方向への回転に伴ってアーム軸32およびストッパ軸21も反時計方向に回転する。これによりピンチローラ30が開の状態になり、また帳票ストッパ20がトレイ10上に突き出た状態となって帳票１の挿入を停める。
【００２３】
上記動作によってラッチ67の鍔部が第１のレバー63に係合してラッチ状態となるので、第１のソレノイド61への通電を止めてもラッチ状態が維持され、ピンチローラ30の開の状態が継続されることになる。通常、帳票を作成するための初期状態はこの状態になっている。なお、第２のソレノイド軸66に結合された第２のスプリングコイル69によってラッチ状態の強度を加減することができる。
【００２４】
図７は、揺動可能なピンチローラが閉の状態の側板におけるソレノイドの動作状態を示す側面図であり、また図８は揺動可能なピンチローラが閉の状態における上記側板を外して見た側面図である。
【００２５】
図５および図６において、帳票ストッパ20まで帳票１を挿入した後にスタートボタン90を押すと、図７および図８に示すように揺動可能なピンチローラは閉の状態に移行する。
【００２６】
図７および図８において、揺動可能なピンチローラが閉の状態とは、帳票１をピンチローラ30およびフィードローラ40により圧接したまま印字装置50まで給送し、また印字終了した帳票１を所定位置まで排出できる状態のことである。
【００２７】
図７において揺動可能なピンチローラを閉の状態にするためには、第１のソレノイド61をＯＦＦにし、且つ第２のソレノイド65をＯＮする。第１のソレノイド61をＯＦＦすると、第１のソレノイド軸62が縮んだ状態から伸びるので、それに伴いこの第１のソレノイド軸62に連動する第１のレバー63および第２のレバー64が時計方向に回転し、また第２のソレノイド65をＯＮしているので、第２のソレノイド軸66が伸びた状態から縮むことになり、これによりラッチ67が反時計方向に回転可能になる。
【００２８】
アーム軸32は第１のレバー63に、またストッパ軸21は第２のレバー64に結合され、さらに第２のレバー64は第１のコイルスプリング68に結合されていることから第１のレバー63に連動するようになっているので、第１のレバー63および第２のレバー64の時計方向への回転に伴ってアーム軸32およびストッパ軸21も時計方向に回転する。これによりピンチローラ30が閉の状態になり、また帳票ストッパ20がトレイ10上に引っ込んだ状態となって帳票１を印字装置50まで給送可能にする。
【００２９】
上記動作によってラッチ67の鍔部が第１のレバー63から外れてラッチ解除となり、帳票１を介してピンチローラ30をフィードローラ40に圧接するが、第１のレバー63に結合された第３のスプリングコイル70によってこの圧接強度を加減することができる。
【００３０】
このようにして揺動可能なピンチローラが閉の状態のときに帳票を圧接したままフィードローラを回転させて帳票をドットプリンタの所定位置まで給送して印字を行うことができる。帳票への印字が終了すると前記フィードローラを逆転させて圧接したまま帳票をトレイの入口近くまで琲出する。
【００３１】
トレイ上を帳票が所定位置に排出したことをセンサ(図示せず)により検出した場合には、揺動可能なピンチローラが閉の状態から、上述したような揺動可能なピンチローラが開の状態となる動作を自動的に行って初期状態に戻すことができる。なお、図５および図７に示されている排出強制ボタン91は、紙詰まりなどの非常事態時に帳票を強制的に排出させるための操作ボタンである。
【００３２】
以上のように本発明の実施形態によれば、揺動可能なピンチローラにより帳票を圧接するので、各支点に均衡した押圧を懸けることができるため、例えば書留受領証のような裏カーボンが施された２枚組の薄手の帳票であっても、破れることなく印字装置に正確に給送して且つ排出することができるので、従来のように帳票が破れるような不具合は無くなる。また、各支点に均衡した押圧を懸けることができるため、ピンチローラに片減りが起こることも無くなるため、帳票への密着度を向上させることができる。
【００３３】
【発明の効果】
上記実施の形態に基づく説明から明らかなように本発明は、帳票をフィードローラとピンチローラとで圧接しながら給送する帳票作成装置において、アーム軸にそれぞれ独立して回転可能に装着された第１アームおよび第２アームと、前記第１アームおよび前記第２アームとで揺動可能に支持される前記ピンチローラと、前記第1アームと前記第２アームとを揺動可能に連動させるバーと、前記バーの中央部に係合する溝を備え、前記アーム軸の回転力を前記溝と前記バーと前記第1アームおよび前記第２アームを介して前記ピンチローラに伝達する第３のアームとを有することを特徴とするものであり、これにより、ピンチローラに均衡した押圧を懸けることができるため、例えば書留受領証のような裏カーボンが施された２枚組の薄手の帳票であっても、破れることなく印字装置に正確に給送して且つ排出することができる。またピンチローラに片減りが起こることも無くなるため、帳票への密着度を向上させることができる。
【図面の簡単な説明】
【図１】本発明の実施形態に係る帳票作成装置の全体構成を示す平面図、
【図２】図１の帳票作成装置をＢ−Ｂ線に沿って切断した側面断面図、
【図３】図２の帳票作成装置に係るピンチローラ部をＡ方向から矢視した平面図、
【図４】図３と同じ部分の拡大斜視図、
【図５】揺動可能なピンチローラが開の状態の側板におけるソレノイドの動作状態を示す側面図、
【図６】揺動可能なピンチローラが開の状態における図５の側板を外して見た側面図、
【図７】揺動可能なピンチローラが閉の状態の側板におけるソレノイドの動作状態を示す側面図、
【図８】揺動可能なピンチローラが閉の状態における図７の側板を外して見た側面図、
【図９】従来の帳票作成装置の全体構成を示す平面図、
【図１０】図９の帳票作成装置をＢ−Ｂ線に沿って切断した側面断面図、
【図１１】図１０の帳票作成装置に係るピンチローラ部をＡ方向から矢視した平面図、
【図１２】図１１と同じ部分の拡大斜視図である。
【符号の説明】
１  帳票
２  ピンチローラ軸
３  ピンチローラ
４  第１のアーム
５  第２のアーム
６  アーム軸
７  ネジ
10  トレイ
20  帳票ストッパ
21  ストッパ軸
30  ピンチローラ
31  ピンチローラ軸
32  アーム軸
33  第１のアーム
34  第２のアーム
35  第３のアーム
36  バー
40  フィードローラ
41  フィードローラ軸
50  印字装置
51  インクリボン
52  プリンタ取付ベース
53  プラテン
61  第１のソレノイド
62  第１のソレノイド軸
63  第１のレバー
64  第２のレバー
65  第２のソレノイド
66  第２のソレノイド軸
67  ラッチ
68  第１のスプリングコイル
69  第２のスプリングコイル
70  第３のスプリングコイル
71  モータ
80  側板
90  スタートボタン
91  排出強制ボタン
【図１】
0004364450.tif 000002
【図２】
0004364450.tif 000003
【図３】
0004364450.tif 000004
【図４】
0004364450.tif 000005
【図５】
0004364450.tif 000006
【図６】
0004364450.tif 000007
【図７】
0004364450.tif 000008
【図８】
0004364450.tif 000009
【図９】
0004364450.tif 000010
【図１０】
0004364450.tif 000011
【図１１】
0004364450.tif 000012
【図１２】
0004364450.tif 000013